【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
第１の形式の文書ファイルを用いて生成された第２の形式の文書ファイルを記憶させる情報処理装置であって、
前記第１の形式の文書ファイルから抽出された各ページのテキストの配置位置を取得する配置位置取得手段と、
前記配置位置取得手段により取得された配置位置に基づいて、前記第２の形式の文書ファイルを生成するために用いられる、前記第１の形式の文書ファイルでページ共通の行情報を決定する決定手段と、
前記第１の形式の文書ファイルから抽出されたフォーム情報と、前記第１の形式の文書ファイルから抽出されたテキスト情報と、前記行情報とを用いた第2の形式の文書ファイルを登録する登録手段と
を備えることを特徴とする情報処理装置。
【請求項２】
前記テキスト情報は、第２の形式の文書ファイルの出力する際に用いるテキストとテキストの属性情報を含むことを特徴とする請求項１に記載の情報処理装置。
【請求項３】
前記第１の形式の文書ファイルは複数のフォームを用いた文書ファイルであって、
前記決定手段は、前記フォームごとにページ共通の行情報を決定し、
前記行情報と前記フォームとを対応付けて管理する管理手段
を更に備えることを特徴とする請求項１又は請求項２に記載の情報処理装置。
【請求項４】
前記登録手段は、前記管理手段で管理されているフォームごとに分けて、第２の形式の文書ファイルを登録することを特徴とする請求項３に記載の情報処理装置。
【請求項５】
前記１の形式の文書ファイルを用いて第２の形式の文書ファイルを生成するべく、取得した第１の形式の文書ファイルの構成を示す、各ページのフォーム識別情報を含む構成ファイルと、各ページのテキスト及びテキストの配置位置を含むテキスト関連ファイルと、前記第１の形式の文書ファイルに用いられるフォーム情報を含むフォームファイルとを生成する生成手段
を更に備えることを特徴とする請求項１乃至請求項４のいずれか１項に記載の情報処理装置。
【請求項６】
第１の形式の文書ファイルを用いて生成された第２の形式の文書ファイルを記憶させる文書管理システムであって、
前記第１の形式の文書ファイルから抽出された各ページのテキストの配置位置を取得する配置位置取得手段と、
前記配置位置取得手段により取得された配置位置に基づいて、前記第２の形式の文書ファイルを生成するために用いられる、前記第１の形式の文書ファイルでページ共通の行情報を決定する決定手段と、
前記第１の形式の文書ファイルから抽出されたフォーム情報と、前記第１の形式の文書ファイルから抽出されたテキスト情報と、前記行情報とを用いた第2の形式の文書ファイルを登録する登録手段と
を備えることを特徴とする文書管理システム。
【請求項７】
第１の形式の文書ファイルを用いて生成された第２の形式の文書ファイルを記憶させる情報処理装置の処理方法であって、
前記情報処理装置が、
前記第１の形式の文書ファイルから抽出された各ページのテキストの配置位置を取得する配置位置取得ステップと、
前記配置位置取得ステップにより取得された配置位置に基づいて、前記第２の形式の文書ファイルを生成するために用いられる、前記第１の形式の文書ファイルでページ共通の行情報を決定する決定ステップと、
前記第１の形式の文書ファイルから抽出されたフォーム情報と、前記第１の形式の文書ファイルから抽出されたテキスト情報と、前記行情報とを用いた第2の形式の文書ファイルを登録する登録ステップと
を実行することを特徴とする処理方法。
【請求項８】
第１の形式の文書ファイルを用いて生成された第２の形式の文書ファイルを記憶させる文書管理システムの処理方法であって、
前記文書管理システムが、
前記第１の形式の文書ファイルから抽出された各ページのテキストの配置位置を取得する配置位置取得ステップと、
前記配置位置取得ステップにより取得された配置位置に基づいて、前記第２の形式の文書ファイルを生成するために用いられる、前記第１の形式の文書ファイルでページ共通の行情報を決定する決定ステップと、
前記第１の形式の文書ファイルから抽出されたフォーム情報と、前記第１の形式の文書ファイルから抽出されたテキスト情報と、前記行情報とを用いた第2の形式の文書ファイルを登録する登録ステップと
を実行することを特徴とする処理方法。
【請求項９】
第１の形式の文書ファイルを用いて生成された第２の形式の文書ファイルを記憶させる情報処理装置のプログラムであって、
前記情報処理装置を、
前記第１の形式の文書ファイルから抽出された各ページのテキストの配置位置を取得する配置位置取得手段と、
前記配置位置取得手段により取得された配置位置に基づいて、前記第２の形式の文書ファイルを生成するために用いられる、前記第１の形式の文書ファイルでページ共通の行情報を決定する決定手段と、
前記第１の形式の文書ファイルから抽出されたフォーム情報と、前記第１の形式の文書ファイルから抽出されたテキスト情報と、前記行情報とを用いた第2の形式の文書ファイルを登録する登録手段
として機能させるためのプログラム。
【請求項１０】
第１の形式の文書ファイルを用いて生成された第２の形式の文書ファイルを記憶させる文書管理システムのプログラムであって、
前記文書管理システムを、
前記第１の形式の文書ファイルから抽出された各ページのテキストの配置位置を取得する配置位置取得手段と、
前記配置位置取得手段により取得された配置位置に基づいて、前記第２の形式の文書ファイルを生成するために用いられる、前記第１の形式の文書ファイルでページ共通の行情報を決定する決定手段と、
前記第１の形式の文書ファイルから抽出されたフォーム情報と、前記第１の形式の文書ファイルから抽出されたテキスト情報と、前記行情報とを用いた第2の形式の文書ファイルを登録する登録手段
として機能させるためのプログラム。
【手続補正２】
【補正対象書類名】明細書
【補正対象項目名】発明の名称
【補正方法】変更
【補正の内容】
【発明の名称】情報処理装置、文書管理システムとその処理方法及びプログラム。
【手続補正３】
【補正対象書類名】明細書
【補正対象項目名】０００１
【補正方法】変更
【補正の内容】
【０００１】
ファイル変換に関する情報処理装置、文書管理システムとその処理方法及びプログラムに関する。
【手続補正４】
【補正対象書類名】明細書
【補正対象項目名】０００７
【補正方法】変更
【補正の内容】
【０００７】
そこで本発明の目的は、ＰＤＦファイルなどの文書ファイルを、他のファイル形式のシステムで容易に扱えるようにする仕組みを提供することである。
【手続補正５】
【補正対象書類名】明細書
【補正対象項目名】０００８
【補正方法】変更
【補正の内容】
【０００８】
本発明の目的を達成するための、第１の形式の文書ファイルを用いて生成された第２の形式の文書ファイルを記憶させる情報処理装置であって、前記第１の形式の文書ファイルから抽出された各ページのテキストの配置位置を取得する配置位置取得手段と、前記配置位置取得手段により取得された配置位置に基づいて、前記第２の形式の文書ファイルを生成するために用いられる、前記第１の形式の文書ファイルでページ共通の行情報を決定する決定手段と、前記第１の形式の文書ファイルから抽出されたフォーム情報と、前記第１の形式の文書ファイルから抽出されたテキスト情報と、前記行情報とを用いた第2の形式の文書ファイルを登録する登録手段とを備えることを特徴とする。
【手続補正６】
【補正対象書類名】明細書
【補正対象項目名】０００９
【補正方法】変更
【補正の内容】
【０００９】
本発明によれば、ＰＤＦファイルなどの文書ファイルを、他のファイル形式のシステムで容易に扱えるようにすることができる。